(57)【要約】本発明は、効果的な洗浄および簡単な操作性を有する洗浄器のノズル出口に間欠気液噴出を提供することに関し、洗浄器ボトル１に開口端７１，７２とエアレーター７の側壁にある少なくとも１つの開口より形成されるパーフォレーション区域７３からなるチューブ状部型エアレーター７が入れており、エアレーター７の開口端はゆたりと洗浄器ボトル１に位置し、開口端７１は洗浄器ボトルの底と隙間があるように設置されている。【選択図】図１
2017507677.tif 000002
【特許請求の範囲】
【請求項１】
ノズルを穴を通して関連している収束端に位置するティップ付き弾性壁を有する梨状ゴム球ボトルを備える洗浄器であって、開口端とエアレーターの側壁にある少なくとも１つの開口より形成されるパーフォレーション区域からなるチューブ状部型エアレーターが洗浄器ボトルに入れられており、チューブ状部型エアレーターの片方の開口端はその端部がノズル内に開放されているように密閉にノズルのティップ部の貫通路に固定されていて、もう一方の開口端は、洗浄器ボトルの底と隙間があるように洗浄器ボトルの中に設置されて、パーフォレーション区域は洗浄器ボトルの中にティップの狭くなる先端の近くにあるように設置されている、洗浄器。
【請求項２】
管状部材が先端に一体形成されていることを特徴とする、請求項１に記載の洗浄器。
【請求項３】
パーフォレーション区域の面積が管状要素の通路部の０．０５〜０．６であることを特徴とする、請求項１に記載の洗浄器。
【請求項４】
エアレーターの長さが対称軸で数える洗浄器ボトルの底とノズルの間の距離の０．７５〜０．９８であることを特徴とする、請求項１に記載の洗浄器。
【請求項５】
洗浄器ボトルの伸張の際、充填を空気および液体で追加する機能を有する逆止弁が洗浄器ボトルの壁に備えてあることを特徴とする、請求項１に記載の洗浄器。
【発明の詳細な説明】
【技術分野】
【０００１】
本発明は、医療機器、すなわち、洗浄器に関し、医療機関内および家庭における衛生に使用できる。
【背景技術】
【０００２】
歯と歯茎および口腔の適切な衛生が、治療が極めて困難である歯周病と歯周症の発症を予防するのが知られている。集中的な歯ブラシを使用した通常の手順の後で口をすすぎ、洗浄するという方法は感染の源である食品残渣、病原体およびその他の成分の除去を容易にする。Ｗａｔｅｒｐｉｋ  Ｔｅｃｈｎｏｌｏｇｉｅｓ（ＵＳＡ）生産などジェット水流のバブル曝気技術を使用した効果的な電機式口腔洗浄器が知られているが、それらはかなり複雑な構造がある。
【０００３】
弾性壁が梨状ゴム球とチューブ状部型エアレーターの開口端がノズルのティップ部の貫通路に管で繋がっており、洗浄器ボトルの底と隙間がないように洗浄器ボトルの中に設置されている手動式洗浄器（特許文献１）がある。ただし、この洗浄器はノズルを介してシリンダーの充填を防止するように設定され、充填が特別なピストンポンプを使って行うものである。さらに、この洗浄器は洗浄器ボトルを液体で充填する機能があり、洗浄する機能がないものである。
【０００４】
口腔手動式洗浄器（特許文献２）があるが、液体入りボトルに入れてあるノズルを穴を通して関連している管と流体ジェットブレーカーが設定であるが、液体エアレーションを使用していないものである。
【０００５】
マゼトフ等、特許文献３の既知の洗浄器は、ノズルの出口で洗浄液と気体を混合する気液媒体を出すミキサーがある。このミキサーはオリーブ形中空ボトル、中央パイプ、ホース、ガスと空気配達器具がある。中空ボトルは中空室の中央領域にガス供給装置を接続するための接線方向の出口を有するノズルがあり、中央ノズルの一部は中空ボトルの中に設置されている。但し、この洗浄器は複雑な構造があるため、家庭および室外では使えない。
【０００６】
特許文献４の既知の気液媒体供給措置は、注ぎ口に取り付けられたティップと接続されるノズルが配管の内部に配置されている液体用弾性ボトルである。注ぎ口からの液体噴射がボトルに押すことによって行わる。ただし、この設置のチューブとノズルの内径は、低い機械的作用がもつ液体噴射ミストの形成という条件に基づいて選択された。
【０００７】
０９３２１８５６（Ａ１），ＰＯＧＬＩＡＮＩ，ＧＲＩＭＯＬＤＩ  （１９９３年１１月１１日）の既知の口腔洗浄器は、脈動液体ジェットが圧縮ガスで加圧されたシリンダーから流出することを流体フローバルブ変調器によって提供するという特徴がある。しかし、使用に当って、交換可能な単回使用ボトルの入荷が必要となり、利用可能なガス自己充填容器がない。
【０００８】
その他の手動式口腔洗浄器もある（特許文献５、特許文献６、（ＢＲＰＩ１１０５９２８（Ａ２），ＤＡ  ＳＩＬＶＡ  ＨＥＲＮＡＮＤＥＳ，（２０１４年９月１０日）））。
【０００９】
身体のチャネルおよび空洞の洗浄のために一番簡単で使いやすい洗浄器は流体を内外に通過させる能力を持つノズルを穴を通して関連している収束端に位置するソフトまたはハードのティップ付き弾性壁がある梨状ゴム球ボトルとティップが付いているシリンジである。（カバトフＹ．Ｆ．医療機器、装置および機器。医学出版、モスクワ、１９７７年，ｐ．７０−７３，図６は参考）ところが、洗浄器として使うシリンジの効率は液体噴射率に強く依存する。高圧ジェットで歯茎を傷つけ、さらには出血を引き起こす可能性がある。また、一度充填されたシリンジの特徴は、そのシリンジに単一の圧縮力を適用することによって、流れる液体の連続流ということであり、上記のように好ましいとされている気液噴出ができない。
【先行技術文献】
【特許文献】
【００１０】
【特許文献１】国際公開第２０１１／１０５６４４号
【特許文献２】独国特許出願公開第３１４６７２９号明細書
【特許文献３】露国特許第２０１８３２３号明細書
【特許文献４】独国特許出願公開第１９５２７９４３号明細書
【特許文献５】米国特許第４２８６７３５明細書
【特許文献６】欧州特許第０５９２０８２号明細書
【発明の概要】
【発明が解決しようとする課題】
【００１１】
本発明は手動式口腔洗浄器の改善を目的とし、ノズルを穴を通して関連している収束端に位置するティップ付き弾性壁がある梨状ゴム球ボトルを持つ洗浄器である。
【課題を解決するための手段】
【００１２】
開口端とエアレーターの側壁にある少なくとも１つの開口より形成されるパーフォレーション区域からなるチューブ状部型エアレーターが洗浄器ボトルに入れてある。チューブ状部型エアレーターの片方の開口端はその端部がノズル内に開放されているように密閉にノズルのティップ部の貫通路に固定されていて、もう一方の開口端は、洗浄器ボトルの底と隙間があるように洗浄器ボトルの中に設置されて、パーフォレーション区域は洗浄器ボトルの中にティップの狭くなる先端の近くにあるように設置されている。当洗浄器は、管状部材が先端に一体形成されているのは特徴がある。または、パーフォレーション区域の面積が管状要素の通路部の０．０５〜０．６であることは特徴がある。管状部材が先端に一体形成されているのは特徴がある。それからエアレーターの長さが対称軸で数える洗浄器ボトルの底とノズルの間の距離の０．７５〜０．９８となるという特徴がある。洗浄器は、洗浄器ボトルの伸張の際、充填を空気および液体で追加する機能がある逆止弁が洗浄器ボトルの壁に備えてある特徴がある。
【００１３】
本発明の技術結果は、効果的な洗浄および簡単な操作を持つ洗浄器のノズル出口に間欠気液噴出を提供することである。
【００１４】
本発明の本質は、図面に示されている。
【図面の簡単な説明】
【００１５】
【図１】装置の構成を示す図。
【図２】動作原理の例示的な説明を示す図。
【発明を実施するための形態】
【００１６】
本発明に関する洗浄器はノズル６を穴５を通して関連している収束端３に位置するソフトおよびハードなティップ４付き弾性壁２がある梨状ゴム球ボトル１を持つ洗浄器である。
【００１７】
洗浄器ボトル１に開口端７１，７２とエアレーター７の側壁にある少なくとも１つの開口より形成されるパーフォレーション区域７３からなるチューブ状部型エアレーター７が入れてある。
【００１８】
エアレーター７の開口端はゆたりと洗浄器ボトル１に位置し、開口端７１は洗浄器ボトルの底と隙間があるように設置されている。エアレーターの長さＬ１が洗浄器ボトルの底とノズルの間の距離Ｌ２より短く、対称軸で数えると０．７５〜０．９８となる。つまり、開口端７１は洗浄器ボトルの底８とボタン１と隙間があるように設置されている。
【００１９】
チューブ状部型エアレーターの片方の開口端７２はその端部がノズル６内に開放されているように密閉にノズル６のティップ部の貫通路５に固定されている。つまり、開口端７２はノズル６と丁度または内側凹部となるように、またはが、ノイズより出ないように設置される。その設置のため、柔軟なティップを使用する場合、開口端７２と洗浄される口腔との直接接触の可能性を除外する。
【００２０】
パーフォレーション区域７３は洗浄器ボトル１の中に開口端７２からの長さをボトルのサイズによって実験で計算されるＬ３で、ティップの狭くなる先端３の近くにあるように設置されている。チューブ状部型エアレーター７の側壁にあるパーフォレーション区域７３の面積が管状要素通路部（内径）の０．０５〜０．６である。
【００２１】
洗浄器ボトル１はハードなティップが設置されている場合は、チューブ状部型エアレーター７はティップ一体化されて生産できる。その場合は、エアレーターがノイズ６より出るように設置されることも可能で、ティップは従来の注射器のように丸めて作成する必要がある。
【００２２】
洗浄器は、洗浄器ボトルの弾力性に起因し、その形状の回復中、充填を空気および液体で追加する機能がある逆止弁Ｋが洗浄器ボトル１の壁に備えることができる。図１、２では点線で逆止弁Ｋの位置が示してあるが、洗浄器ボトルの壁の設置場所は自由である。
【００２３】
洗浄器は吸引する際、ノズル４が液体入りボトルに下降された時に、逆止弁Ｋが開き、漏れがノズル４を通って及び逆止弁Ｋを介して発生する可能性があり、空気及び液体が入る。洗浄器ボトル１が圧縮されると、逆止弁Ｋは閉じられ、唯一のガス空気混合物は、ノズル６とティップ４を通して排出される。
【００２４】
本器機の使用方法は以下の通りである。（参考：図２）洗浄器に使用する液体９を入れる。例えば、洗浄器を圧縮された状態で、洗浄液で満たされたバルーンのティップが溶液で容器内に下降させ、その後、バルーンが拡張される。このプロセスは、常に液体の上方に配置されている空気１０の一定量を吸い込むことに伴う。（条件付き境界Ｂは破線で示す。）
【００２５】
続いて、ティップ付ノズル６を歯間の隙間および空間のような洗浄エリアに近づかせ、洗浄器ボトル１の壁の両側に繰り返して強く押す。（矢印Ｆは押す方面を示す）。人間工学に基づいた位置は洗浄器のティップ４が水平またはわずかに見上げている位置である。空気１０は洗浄器の中から狭くなる端３に集中し（点線矢印１２は空気の流れを示す）、例えば穴のような形をするパーフォレーション区域７３でチューブ状部型エアレーター７の開口端７１を通して加圧されて流れる（矢印１３）液体９と混ぜる。その結果として、洗浄器のノズル出口６に間欠気液噴出１１が完成される。できた間欠気液噴出は最高洗浄納涼区がある。ティップ４付ノズル６が歯間の隙間に直接接触する場合、洗浄器は気体と液体媒体の効果的なソースとしてだけでなく、ポンプとしても働いて、食物屑を洗い流すことができる。ただし、ノズル６によって吸収されるため、さらなる精製手段を必要となる。
【産業上の利用可能性】
【００２６】
洗浄器は一般的に医療業界において使用される材料で作られている。実験でも効果的な洗浄および簡単な操作を持ちながら洗浄器のノズル出口に歯間空隙の効果的な洗浄を促進する間欠気液噴出を提供することがわかった。
【図１】
2017507677.tif 000003
【図２】
2017507677.tif 000004
【国際調査報告】
2017507677.tif 000005
2017507677.tif 000006